(57)【要約】【課題】従来の雪止め瓦は、その自由端から裾部に向って、同じ肉厚構造であることから、例えば、瓦本体の全体にある積雪をもろに受けた場合には、積雪の荷重で、雪止めが折損（破損）することがあり、その改良が望まれる。また従来の雪止め構造は、雪止めの高さが不足しており、高さを確保した雪止めが必要であり、その改良が考えられる。【構成】本発明は、アンダーラップとオーバーラップを有する平板瓦の瓦本体の表面側に、雪止めを突設し、かつ雪止めの幅方向の中心に、雨水及び／又は塵の流れを許す分水部を、また自由端から裾部に向かって肉厚形状となる略台形状の本体部を設け、そして、瓦本体の裏面側に、雪止めと対峙する位置に、窪み部の凹設を介して、雪止め突出用の粘土を補完し、また雪止めの略台形状の本体部を介して、この雪止めを、積雪から保護する構造とした雪止め平板瓦である。【選択図】図１−１
2008196109.tif 000002
【特許請求の範囲】
【請求項１】
瓦本体の流れ方向の一方側に水返し突条を形成したアンダーラップを、他方側にオーバーラップを有する雪止め平板瓦であって、
この瓦本体の表面側には、この瓦本体の頭側より尻側に入った位置に、雪止めを突設するとともに、この雪止めの幅方向の中心に、雨水及び／又は塵の流れを許す分水部を、またその自由端から裾部に向かって肉厚形状となる断面視して略台形状の本体部をそれぞれ設け、さらにこの瓦本体の表面側の頭側に頭垂れを形成し、
またこの瓦本体の裏面側には、前記雪止めの対峙する位置に、窪み部を凹設し、
この窪み部を形成することで、この雪止め突出用の粘土を補完するとともに、前記雪止めの略台形状の本体部を介して、この雪止めを、雪止め時及び／又は流雪時等から保護する構造としたことを特徴とする雪止め平板瓦。
【請求項２】
請求項１に記載の雪止め平板瓦において、
この雪止めを、頭側に膨出した略緩湾曲形の截頭山形錐の本体部と、この本体部を囲繞するように広い面積の裾部とで形成し、前記緩湾曲形を分水部とする構造としたことを特徴とする雪止め平板瓦。
【請求項３】
請求項１に記載の雪止め平板瓦において、
この雪止めを、頭側に膨出した略截頭一文字錐の本体部と、この本体部の尻側には、山裾形状の三角州裾部と、この三角州裾部を分水部とすることで構造としたことを特徴とする雪止め平板瓦。
【請求項４】
請求項１に記載の雪止め平板瓦において、
この雪止めを、頭側に膨出した略Ｖ字錐の本体部を分割し、第一本体部と、第二本体部とし、この第一本体部と、第二本体部との間に、分水部を設け、かつこの第一本体部と、第二本体部を平面視して、略倒ハ字形に配置する構造としたことを特徴とする雪止め平板瓦。
【請求項５】
請求項１に記載の雪止め平板瓦において、
この瓦本体のアンダーラップの端部に水返し突条を形成し、またこのアンダーラップの頭側端部に段付部を形成し、
またこの瓦本体の尻側の端部に、前記段付部が、挿入係止される袋部を形成する構造としたことを特徴とする雪止め平板瓦。
【請求項６】
請求項２に記載の雪止め平板瓦において、
この雪止めを、頭側に膨出した略緩湾曲形の截頭山形錐の本体部であって、この略緩湾曲形の截頭山形錐の本体部を、尻側に湾曲構成したことを特徴とする雪止め平板瓦。
【請求項７】
請求項２に記載の雪止め平板瓦において、
この雪止めを、頭側に膨出した略緩湾曲形の截頭山形錐の本体部であって、この略緩湾曲形の截頭山形錐の本体部を、頭側に湾曲構成したことを特徴とする雪止め平板瓦。
【請求項８】
請求項７に記載の雪止め平板瓦において、
この雪止めを、頭側に膨出した略緩湾曲形の截頭山形錐の本体部であって、この略緩湾曲形の截頭山形錐の本体部を、頭側に湾曲構成し、かつこの本体部の尻側に三角州裾部を形成したことを特徴とする雪止め平板瓦。
【請求項９】
請求項７に記載の雪止め平板瓦において、
この雪止めを、頭側に膨出した略緩湾曲形の截頭山形錐の本体部であって、この略緩湾曲形の截頭山形錐の本体部を、頭側に湾曲構成し、かつこの本体部の尻側湾曲谷部位から、前記三角州裾部の尻端部位に向って分水嶺部を形成したことを特徴とする雪止め平板瓦。
【発明の詳細な説明】
【技術分野】
【０００１】
本発明は、雪止め平板瓦であり、積雪をもろに受けた場合においても、積雪の荷重で、雪止めが折損することがない、平板瓦の瓦本体の略幅全体に雪止めを備えた平板瓦に関する。
【背景技術】
【０００２】
本発明は、昨今、普及の著しい平板瓦（Ｆ形瓦）の改良で、新規な需要を意図した雪止め平板瓦に関する。
【０００３】
周知の如く、和形瓦（Ｊ形瓦）に関しての雪止めは、種々の構造が提案されている。その一例を、参考として説明する（文献（１）〜文献（４）とする）。
【０００４】
文献（１）は、実開昭５５−１２１８２１号の「雪止付かわら」で、和形瓦の瓦本体の谷部であって、この瓦本体の流れ方向の略中央に設けた半月状の雪止めと、この雪止めに貫設した分水部（窓）とでなる構造である。
【０００５】
文献（２）は、実開昭６３−１４０４１８号の「雪止め瓦」で、和形瓦の瓦本体の頭側やや内方の谷部に設けた、一文字形を二分割した対の雪止めと、この対の雪止めで形成された分水部とでなる構造である。
【０００６】
文献（３）は、実開昭５９−６０２２０号の「雪止め瓦」で、和形瓦の瓦本体の頭側やや内方の谷部に設けた、複数に分割した雪止めと、この雪止め間に設けた複数の分水部とでなる構造である。
【０００７】
文献（４）は、実開昭５７−１４５０２５号の「雪止め瓦」で、和形瓦の瓦本体の谷部であって、この瓦本体の流れ方向の略中央に設けた、一文字形を二分割した対の雪止めと、この対の雪止めで形成された分水部とでなる構造である。
【０００８】
以上で説明した文献（１）〜文献（４）の考案（文献考案とする）は、和形瓦の谷部に雪止めを設ける構造であるので、この瓦本体の全体にある積雪をもろに受ける状態は少なくなり、この雪止めが折損することは少ないものと考えられる。しかしながら、この文献考案の雪止めの構造を、そのまま平板瓦に転用した場合には、問題が発生する可能性がある。その一例を説明すると、この文献考案の雪止めは、何れも、その自由端から裾部に向って、同じ肉厚構造であることから、平板瓦の瓦本体の全体にある積雪をもろに受けた場合には、積雪の荷重で、雪止めが折損することがあり得る。従って、平板瓦での雪止めは、前述した、文献考案の雪止めより、強度的に優れた雪止めが要望される。
【０００９】
この文献考案の改良を、従来の平板瓦の先行文献で検証すると、次のような雪止めの発明が挙げられる。以下、文献（５）、文献（６）として説明する。
【００１０】
文献（５）は、特開平９−６０２０３号の「平瓦」で、この平瓦（平板瓦）の瓦本体部の頭側やや内方表面に、この瓦本体部の略全幅に亘る雪止め膨出部を設け、この雪止め膨出部には、頭側から尻側に向って迫上り構成として迫上り頂点を設け、さらにこの迫上り頂点は、尻側を曲面形状とする構造であり、融解雪又は雨水、ごみ等の流下と、雪止めを図る。また図６、図８に示すように、オーバーラップの高さに略沿った高さを備えた雪止めの構造であり、平板瓦の積層時において、略並列した状態での積層を図り、結束の容易化と、結束時のズレ防止及び／又は嵩の僅少化等を図る。
【００１１】
文献（６）は、特開２００１−９０２５９の「平板瓦」で、平板瓦の瓦本体部に、オーバーラップの高さに略沿った高さを備えた雪止めを、頭側に設けた構造であり、平板瓦の積層時において、略並列した状態での積層を図り、結束の容易化と、結束時のズレ防止及び／又は嵩の僅少化等を図る。
【００１２】
しかしながら、この文献（５）、文献（６）の発明（文献発明とする）は、雪止めと、平板瓦の積層時において、略並列した状態での積層を図り、結束の容易化と、結束時のズレ防止及び／又は嵩の僅少化等を図る構造である。従って、雪止めとして役立つ、充分な高さを備えておらず、本来の機能を発揮するには、少なからず、問題がある。そして、この文献発明は、従来の文献考案と同じ構造であり、その自由端から裾部に向って、同じ肉厚構造であることから、例えば、瓦本体の全体にある積雪をもろに受けた場合には、積雪の荷重で、雪止めが折損することがあり得る。
【００１３】
【特許文献１】実開昭５５−１２１８２１号
【特許文献２】実開昭６３−１４０４１８号
【特許文献３】実開昭５９−６０２２０号
【特許文献４】実開昭５７−１４５０２５号
【特許文献５】特開平９−６０２０３号
【特許文献６】特開２００１−９０２５９
【発明の開示】
【発明が解決しようとする課題】
【００１４】
前述した如く、文献考案及び／又は文献発明の雪止めは、その自由端から裾部に向って、同じ肉厚構造であることから、例えば、瓦本体の全体にある積雪をもろに受けた場合には、積雪の荷重で、雪止めが折損（破損）することがあり、その改良が望まれる。また前記文献発明では、雪止めの高さが不足しており、高さを確保した雪止めが必要であり、その改良が考えられる。
【００１５】
さらに、前記した雪止めの高さを確保するためには、粘土の量と、この高い位置まで、粘土をスムーズに移動する構造が必要であるが、この文献考案及び／又は文献発明の雪止めの構造では、必ずしも、充分とは考えられず、改良の余地がある。
【００１６】
以上のような改良をクリアーするために、本発明は、下記の特徴を達成する。
「１」  雪止めとしての役割を充実し、かつ平板瓦に最適な強度な強度（自由端から裾部に向って、末広がりの肉厚構造等）、形状（自由端から裾部に向って、末広がりの肉厚構造及び／又は分水部構造）、高さ等を備えた雪止めの構造を提供する。
「２」  さらに雪止めとしての補助の役割、例えば、雨水、塵等の分水嶺として役立ち、また破損の少ない構造を提案する。
「３」  また雪止めを高く構成した場合の弊害、例えば、粘土の不足を解消しつつ、平板瓦としての強度の確保を図るために、粘土の有効利用と、この粘土のスムーズな移動が図れる平板瓦の構造を提案する。
「４」  尚、雪止めを高く、自由端から裾部に向って、末広がりの肉厚構造等としたことによる弊害を回避し、通常の瓦製造と、技術を駆使することで、何ら、その製造と、結束、搬送等の取扱に困らない構造の雪止め平板瓦を提供する。
【課題を解決するための手段】
【００１７】
請求項１の発明は、前述した「１」〜「４」の特徴を達成することを意図する。
【００１８】
請求項１は、瓦本体の流れ方向の一方側に水返し突条を形成したアンダーラップを、他方側にオーバーラップを有する雪止め平板瓦であって、
この瓦本体の表面側には、この瓦本体の頭側より尻側に入った位置に、雪止めを突設するとともに、この雪止めの幅方向の中心に、雨水及び／又は塵の流れを許す分水部を、またその自由端から裾部に向かって肉厚形状となる断面視して略台形状の本体部をそれぞれ設け、さらにこの瓦本体の表面側の頭側に頭垂れを形成し、
またこの瓦本体の裏面側には、前記雪止めの対峙する位置に、窪み部を凹設し、
この窪み部を形成することで、この雪止め突出用の粘土を補完するとともに、前記雪止めの略台形状の本体部を介して、この雪止めを、雪止め時及び／又は流雪時等から保護する構造としたことを特徴とする雪止め平板瓦である。
【００１９】
請求項２〜請求項４の発明は、請求項１の目的を達成することと、この目的を達成するのに最適な雪止めの各構造を提案することを意図する。
【００２０】
先ず、請求項２は、請求項１に記載の雪止め平板瓦において、
この雪止めを、頭側に膨出した略緩湾曲形の截頭山形錐の本体部と、この本体部を囲繞するように広い面積の裾部とで形成し、前記緩湾曲形を分水部とする構造としたことを特徴とする雪止め平板瓦である。
【００２１】
次に、請求項３は、請求項１に記載の雪止め平板瓦において、
この雪止めを、頭側に膨出した略截頭一文字錐の本体部と、この本体部の尻側には、山裾形状の三角州裾部と、この三角州裾部を分水部とすることで構造としたことを特徴とする雪止め平板瓦である。
【００２２】
さらに、請求項４は、請求項１に記載の雪止め平板瓦において、
この雪止めを、頭側に膨出した略Ｖ字錐の本体部を分割し、第一本体部と、第二本体部とし、この第一本体部と、第二本体部との間に、分水部を設け、かつこの第一本体部と、第二本体部を平面視して、略倒ハ字形に配置する構造としたことを特徴とする雪止め平板瓦である。
【００２３】
請求項５の発明は、請求項１の目的を達成することと、この耐震、耐風効果が図れる雪止め平板瓦の構造を提案することを意図する。
【００２４】
請求項５は、請求項１に記載の雪止め平板瓦において、
この瓦本体のアンダーラップの端部に水返し突条を形成し、またこのアンダーラップの頭側端部に段付部を形成し、
またこの瓦本体の尻側の端部に、前記段付部が、挿入係止される袋部を形成する構造としたことを特徴とする雪止め平板瓦である。
【００２５】
請求項６〜９の発明は、請求項２の目的を達成することと、この目的を達成し、かつ雪止め効果を達成するのに最適な雪止め平板瓦の構造を提案することを意図する。
【００２６】
請求項６は、請求項２に記載の雪止め平板瓦において、
この雪止めを、頭側に膨出した略緩湾曲形の截頭山形錐の本体部であって、この略緩湾曲形の截頭山形錐の本体部を、尻側に湾曲構成したことを特徴とする雪止め平板瓦である。
【００２７】
請求項７は、請求項２に記載の雪止め平板瓦において、
この雪止めを、頭側に膨出した略緩湾曲形の截頭山形錐の本体部であって、この略緩湾曲形の截頭山形錐の本体部を、頭側に湾曲構成したことを特徴とする雪止め平板瓦である。
【００２８】
請求項８は、請求項７に記載の雪止め平板瓦において、
この雪止めを、頭側に膨出した略緩湾曲形の截頭山形錐の本体部であって、この略緩湾曲形の截頭山形錐の本体部を、頭側に湾曲構成し、かつこの本体部の尻側に三角州裾部を形成したことを特徴とする雪止め平板瓦である。
【００２９】
請求項９は、請求項７に記載の雪止め平板瓦において、
この雪止めを、頭側に膨出した略緩湾曲形の截頭山形錐の本体部であって、この略緩湾曲形の截頭山形錐の本体部を、頭側に湾曲構成し、かつこの本体部の尻側湾曲谷部位から、前記三角州裾部の尻端部位に向って分水嶺部を形成したことを特徴とする雪止め平板瓦である。
【発明の効果】
【００３０】
請求項１の発明は、瓦本体の流れ方向の一方側に水返し突条を形成したアンダーラップを、他方側にオーバーラップを有する雪止め平板瓦であって、
瓦本体の表面側には、瓦本体の頭側より尻側に入った位置に、雪止めを突設するとともに、雪止めの幅方向の中心に、雨水及び／又は塵の流れを許す分水部を、また自由端から裾部に向かって肉厚形状となる断面視して略台形状の本体部をそれぞれ設け、さらに瓦本体の表面側の頭側に頭垂れを形成し、
また瓦本体の裏面側には、雪止めの対峙する位置に、窪み部を凹設し、
窪み部を形成することで、雪止め突出用の粘土を補完するとともに、雪止めの略台形状の本体部を介して、雪止めを、雪止め時及び／又は流雪時等から保護する構造とした雪止め平板瓦である。
【００３１】
従って、請求項１は、下記の特徴を有する。
「１」  雪止めとしての役割を充実し、かつ平板瓦に最適な強度な強度（自由端から裾部に向って、末広がりの肉厚構造等）、形状（自由端から裾部に向って、末広がりの肉厚構造及び／又は分水部構造）、高さ等を備えた雪止めの構造を提供できる。
「２」  さらに雪止めとしての補助の役割、例えば、雨水、塵等の分水嶺として役立ち、また破損の少ない構造を提案できる。
「３」  また雪止めを高く構成した場合の弊害、例えば、粘土の不足を解消しつつ、平板瓦としての強度の確保を図るために、粘土の有効利用と、この粘土のスムーズな移動が図れる平板瓦の構造を提案できる。
「４」  尚、雪止めを高く、自由端から裾部に向って、末広がりの肉厚構造等としたことによる弊害を回避し、通常の瓦製造と、技術を駆使することで、何ら、その製造と、結束、搬送等の取扱に困らない構造の雪止め平板瓦を提供できる。
【００３２】
請求項２の発明は、請求項１に記載の雪止め平板瓦において、
雪止めを、頭側に膨出した略緩湾曲形の截頭山形錐の本体部と、本体部を囲繞するように広い面積の裾部とで形成し、緩湾曲形を分水部とする構造とした雪止め平板瓦である。
【００３３】
請求項３の発明は、請求項１に記載の雪止め平板瓦において、
雪止めを、頭側に膨出した略截頭一文字錐の本体部と、本体部の尻側には、山裾形状の三角州裾部と、三角州裾部を分水部とすることで構造とした雪止め平板瓦である。
【００３４】
請求項４の発明は、請求項１に記載の雪止め平板瓦において、
雪止めを、頭側に膨出した略Ｖ字錐の本体部を分割し、第一本体部と、第二本体部とし、第一本体部と、第二本体部との間に、分水部を設け、かつ第一本体部と、第二本体部を平面視して、略倒ハ字形に配置する構造とした雪止め平板瓦である。
【００３５】
従って、請求項２〜請求項４は、請求項１の目的を達成できることと、この目的を達成するのに最適な雪止めの各構造を提案できること等の特徴を有する。
【００３６】
請求項５の発明は、請求項１に記載の雪止め平板瓦において、
瓦本体のアンダーラップの端部に水返し突条を形成し、またアンダーラップの頭側端部に段付部を形成し、
また瓦本体の尻側の端部に、段付部が、挿入係止される袋部を形成する構造とした雪止め平板瓦である。
【００３７】
従って、請求項５は、請求項１の目的を達成できることと、この耐震、耐風効果が図れる雪止め平板瓦の構造を提案できること等の特徴を有する。
【００３８】
請求項６の発明は、請求項２に記載の雪止め平板瓦において、
雪止めを、頭側に膨出した略緩湾曲形の截頭山形錐の本体部であって、略緩湾曲形の截頭山形錐の本体部を、尻側に湾曲構成した雪止め平板瓦である。
【００３９】
請求項７の発明は、請求項２に記載の雪止め平板瓦において、
雪止めを、頭側に膨出した略緩湾曲形の截頭山形錐の本体部であって、略緩湾曲形の截頭山形錐の本体部を、頭側に湾曲構成した雪止め平板瓦である。
【００４０】
請求項８の発明は、請求項７に記載の雪止め平板瓦において、
雪止めを、頭側に膨出した略緩湾曲形の截頭山形錐の本体部であって、略緩湾曲形の截頭山形錐の本体部を、頭側に湾曲構成し、かつ本体部の尻側に三角州裾部を形成した雪止め平板瓦である。
【００４１】
請求項９の発明は、請求項７に記載の雪止め平板瓦において、
雪止めを、頭側に膨出した略緩湾曲形の截頭山形錐の本体部であって、略緩湾曲形の截頭山形錐の本体部を、頭側に湾曲構成し、かつ本体部の尻側湾曲谷部位から、三角州裾部の尻端部位に向って分水嶺部を形成した雪止め平板瓦である。
【００４２】
従って、請求項６〜９の発明は、請求項２の目的を達成できることと、この目的を達成し、かつ雪止め効果を達成するのに最適な雪止め平板瓦の構造を提案できること等の特徴を有する。
【発明を実施するための最良の形態】
【００４３】
本発明の好ましい一例を、図面を参照として説明する。最初の図面の説明をすると、図１−１〜図１−５は、第一実施例を示しており、図１−１は雪止めを尻側に膨出した略緩湾曲形の截頭山形錐の本体部とした一例の平面図、図１−２は背面図、図１−３は尻側から雪止めを見た部分斜視図、図１−４は雪止めを断面視した拡大端面図、図１−５は葺設状態を示した縮尺俯瞰図である。図１−６は第一実施例の他の一例であり、雪止めを頭側に膨出した略緩湾曲形の截頭山形錐の本体部とした一例の平面図、図１−７は第一実施例のさらに他の一例であり、雪止めを頭側に膨出した略緩湾曲形の截頭山形錐の本体部と、三角州裾部を設けた一例の平面図、図１−８は第一実施例の別の一例であり、雪止めを頭側に膨出した略緩湾曲形の截頭山形錐の本体部と、分水嶺部を設けた一例の平面図である。次に、図２−１〜図２−５は、第二実施例を示しており、図２−１は平面図、図２−２は背面図、図２−３は尻側から雪止めを見た部分斜視図、図２−４は雪止めを断面視した拡大端面図、図２−５は葺設状態を示した縮尺俯瞰図である。さらに図３−１〜図３−５は、第三実施例を示しており、図３−１は雪止めを頭側に膨出した略Ｖ字錐の本体部を分割し、略倒ハ字形に配置した第一本体部と、第二本体部とした一例の平面図、図３−２は背面図、図３−３は尻側から雪止めを見た部分斜視図、図３−４は雪止めを断面視した拡大端面図、図３−５は葺設状態を示した縮尺俯瞰図である。尚、図３−６は、図３−１（第三実施例）の雪止め平板瓦の別の一実施例を示し、位相を変えて配置した平板瓦の平面図である。
【００４４】
そして、図４〜図７は、前述の図１−１〜図３−４に示した雪止め平板瓦とは異なる雪止め平板瓦を示しており、図４は、本発明の雪止め平板瓦の他の一実施例を示した平面図、図５は本発明の雪止め平板瓦のさらに他の一実施例を示した平面図、図６は本発明の雪止め平板瓦の別の一実施例を示した平面図、図７は本発明の雪止め平板瓦のさらに別の一実施例を示した平面図である。
【００４５】
本発明の雪止め（各例を後述する）を突設する平板瓦１の好ましい一例を、第１実施例として図１−１〜図３−４に示した各実施例で説明する。
【００４６】
最初に、図１−１〜図３−４に示した耐震、耐風構造の千鳥葺き用の雪止め平板瓦１（平板瓦１とする）は、瓦本体１００と、この瓦本体１００の流れ方向の一方側１００ａには、一段下がったアンダーラップ１０１と、またその他方側１００ｂには、瓦本体１００の表面側１００ｃと面一で、その裏面側１００ｄを刳貫き形成したオーバーラップ１０２とを備えている。そして、図中１００ｅは瓦本体１００の頭側、１００ｆは瓦本体１００の尻側を示している。
【００４７】
またこの瓦本体１００を構成するアンダーラップ１０１には、このアンダーラップ１０１を囲繞する（頭側１００ｅはなし）水返し突条１０３と、このアンダーラップ１０１の頭側端部には、一段下がった耐震、耐風構造用の段付部１０４とを有している。また瓦本体１００の表面側１００ｃであって、その尻側１００ｆには耐震、耐風構造用の袋部１０５と、水返し突条１０６とを有している。そして、図１−４の葺設状態では、この上段の瓦本体１００の段付部１０４が、下段に葺設された平板瓦１−１の瓦本体１００の袋部１０５に、少なくとも二方向から、自由に挿入係止される。この挿入係止及び／又は図示しない釘止め等を介して、該当する上下段の瓦本体１００を、強固に連繋し、耐震、耐風効果を達成する。図中１０７は瓦本体１００の表面側１００ｃで、かつ尻側１００ｆのやや内方（葺合せ代内となる箇所）に設けた堰を示す。この堰１０７は雨水の逆上を阻止する。
【００４８】
以上で説明した、耐震、耐風構造の千鳥葺き用の平板瓦１は一例であり、雪止め３の形状は図４〜図６に示した各平板瓦１も同様である。但し、瓦本体１００の構造及び／又は機能が区々となるが、本発明の雪止めを設けるに際しては、遜色がない。そして、図４は、図１−１〜図３−４に示した平板瓦１と略同様であるが、表面側１００ｃのオーバーラップ１０２と、またこの表面側１００ｃの瓦本体１００とアンダーラップ１０１との境に、膨出部１０８、１０９を、それぞれ設けた構造であり、この所定の位置に雪止めを設ける。その他は、前述の例に準ずる。また図５は、暖勾配・千鳥葺き用の平板瓦１の瓦本体１００の表面側１００ｃに設けたオーバーラップ１０２を膨出形成（膨出帯１０８）し、またアンダーラップ１０１と表面側１００ｃとの境に膨出帯１０９を膨出形成することで、この表面側１００ｃに下向き傾斜面１００ｃ１を設けた構造である。他の構造は、前述の平板瓦１に準ずる。さらに図６は、筋葺き用の平板瓦１の瓦本体１００の表面側１００ｃのオーバーラップ１０２と、この表面側１００ｃの中央部、さらには表面側１００ｃの瓦本体１００とアンダーラップ１０１との境に、膨出部１０８、１１０、１０９を、それぞれ設けた構造であり、この所定の位置に雪止めを設ける。その他は、前述の例に準ずる。
【００４９】
尚、さらに別の一実施例として、図７は、暖勾配・筋葺き用で、通常の平板瓦１の瓦本体１００の表面側１００ｃに設けたオーバーラップ１０２を膨出形成（膨出帯１０８）し、またアンダーラップ１０１と表面側１００ｃとの境に膨出帯１０９を膨出形成することで、この表面側１００ｃに下向き傾斜面１００ｃ１を設けた構造である。他の構造（耐震、耐風構造は除く）は、原則として、前述の平板瓦１に準ずる。
【００５０】
続いて、雪止め３の構造に関し、第一実施例〜第三実施例を順に説明する。
【００５１】
図１−１〜図１−８は、第一実施例を示しており、この第一実施例の雪止め３は、平板瓦１の頭側１００ｅの表面側１００ｃで、そのやや内方側で、かつ幅方向（雨水の流れ方向と交差する方向）の中心部位に膨出形成する。この雪止め３の構成を詳説すると、その形状は、尻側１００ｆに略緩湾曲形（緩湾曲形状）に形成し（図１−１〜図１−５参照）、俯瞰視して（全体視して）截頭山形錐であり、その構造は、截頭山形錐の本体部３００と、本体部３００を囲繞するように広い面積の裾部３０１とでなり、前記湾曲形の本体部３００及び／又は尻側裾部３０１ａ（後述する）が分水部３０２（分水嶺）となる。そして、この第一実施例では、本体部３００の左右端部に膨出箇所３００ａ、３００ｂを設け、例えば、積雪、成形、搬送、結束時における破損の回避と、全体の補強と、又は搬送、結束の容易化と、成形の容易化、歩留まりの向上等を意図する。また截頭部３００ｃは、例えば、積雪、成形、搬送、結束時における破損の回避と、また搬送、結束の容易化と、成形の容易化（即ち、雪止め３の形状より、ワンプレス等による製造と、この製造過程において、複雑なシステムを要しないこと、メンテナンスの容易化）、歩留まりの向上等を図る。またこの裾部３０１は、本体部３００の補強として、有効であり、例えば、雪止め時及び／又は流雪時等、成形、搬送、結束時における破損の回避と、全体の補強と、又は搬送、結束の容易化と、成形の容易化、歩留まりの向上等を図る。そして、前述した如く、本体部３００の尻側１００ｆに形成された湾曲形及び／又は前記尻側裾部３０１ａの尻側１００ｆに形成された湾曲形でなる曲面箇所が分水嶺としての機能を備えている。尚、この第一実施例では、截頭部３００ｃから裾部３０１まで同じ形状を確保することで、例えば、雪止め時及び／又は流雪時等、成形時における破損の回避と、荷重の分散と、又は成形の容易化、歩留まりの向上等が図れる。
【００５２】
またこの雪止め３の他の構成を詳説すると、その形状は、頭側１００ｅに略緩湾曲形（緩湾曲形状）に形成し（図１−６〜図１−８参照）、俯瞰視して（全体視して）截頭山形錐であり、その構造は、前述の第一実施例に準ずるので、その相違点を下記に示す。即ち、先ず、図１−６は他の一例であり、雪止め３を頭側１００ｅに膨出した略緩湾曲形の截頭山形錐の本体部１としたものであり、この本体部１を囲繞するように、同形状の裾部３０１を有する。そして、この図１−６〜図１−８の実施例では、例えば、雪止め及び／又は流雪効果の拡充が期待できること、また形状の斬新性が期待できること等が考えられる。次に、図１−７はさらに他の一例であり、雪止め３を頭側１００ｅに膨出した略緩湾曲形の截頭山形錐の本体部１と、この本体部１の尻側裾部を拡充して三角州裾部３０１ｂを設けた一例であり、この三角州裾部３０１ｂの特徴は、後述する。さらに図１−８は別の一例であり、雪止め３を頭側１００ｅに膨出した略緩湾曲形の截頭山形錐の本体部１と、図１−７に示した三角州裾部３０１ｂに分水嶺部３０３を設けた（本体部１の尻側湾曲谷部位１００ｈから、三角州裾部３０１ｂの尻端部位３０１ｂ１に向って分水嶺部３０３を形成した）構造であり、例えば、前述の分水部３０２と同じ特徴を有し、かつ本体部１及び／又は雪止め３の補強に有効であり、他は前述の第一実施例に準ずる。
【００５３】
そして、本発明の第一実施例では、この平板瓦１の頭側１００ｅの裏面側１００ｄには（雪止め３と対峙する位置）、雪止め３と相似形であって、裾部３０１よりやや大きな表面積の窪み部４を湾曲形状に凹設する（図１−４の拡大端面図参照）。この窪み部４及び／又は湾曲形状は、雪止め３への粘土の供給及びそのスムーズな供給と、粘土の減少化、又は平板瓦１の軽量化を図るためである。この雪止め３及び／又は窪み部４の構造により、粘度の切れ防止と、不成形の回避と、強度不足の回避が図れる（他の各例も同じ）。
【００５４】
また、この第一実施例を、千鳥葺きで葺設した一例を図１−５に示しており、軒先より三段目に、順列して葺設した。平板瓦１−１は、第二実施例で示した平板瓦１と同構造で、雪止め３を備えない構造である。この例では、また軒先より設ける位置及び／又は順列は、一例であり、限定されない。そして、同様に千鳥葺きで葺設するか否かは、限定されない（原則として、他の各実施例も同じ）。
【００５５】
図２−１〜図２−５は、第二実施例を示しており、この第二実施例の雪止め３は、平板瓦１の頭側１００ｅの表面側１００ｃで、そのやや内方側で、かつ幅方向の中心部位に膨出形成する。この雪止め３の構成を詳説すると、その形状は、尻側１００ｆに略一文字に形成し、俯瞰視して（全体視して）略截頭一文字錐であり、その構造は、略截頭一文字錐の本体部３００と、本体部３００を囲繞するように広い面積の裾部３０１とでなり、この裾部３０１の尻側１００ｆに山裾形状の三角州裾部３０１ｂを形成し、この三角州裾部３０１ｂが分水部３０２（分水嶺）となる。そして、この第二実施例では、本体部３００を、広い面積の裾部３０１で囲繞する構造とすることで、例えば、積雪、成形、搬送、結束時における破損の回避と、全体の補強と、又は搬送、結束の容易化と、成形の容易化、歩留まりの向上等を意図する。また截頭部３００ｃは、例えば、積雪、成形、搬送、結束時における破損の回避と、また搬送、結束の容易化と、成形の容易化、歩留まりの向上等を図る。またこの裾部３０１は、本体部３００の補強として、有効であり、例えば、雪止め時及び／又は流雪時等、成形、搬送、結束時における破損の回避と、全体の補強と、又は搬送、結束の容易化と、成形の容易化、歩留まりの向上等を図る。そして、前述した如く、本体部３００の尻側１００ｆに形成された三角州裾部３０１ａが分水嶺としての機能を備えている。尚、この第二実施例では、裾部３０１の尻側１００ｆに山裾形状の三角州裾部３０１ｂを形成することで、例えば、雪止め時及び／又は流雪時等、成形時における破損の回避と、荷重の分散と、又は成形の容易化、歩留まりの向上等が図れる。
【００５６】
そして、本発明の第二実施例では、この平板瓦１の頭側１００ｅの裏面側１００ｄには、雪止め３と相似形であって、裾部３０１よりやや大きな表面積の窪み部４を湾曲形状に凹設する（図２−４の拡大端面図参照）。この窪み部４及び／又は湾曲形状は、雪止め３への粘土の供給及びそのスムーズな供給と、粘土の減少化、又は平板瓦１の軽量化を図るためである。その他は、前述の例に準ずる。
【００５７】
また、この第二実施例を、千鳥葺きで葺設した一例を図２−５に示しており、軒先より三段目に、順列して葺設した。平板瓦１−１は、第二実施例で示した平板瓦１と同構造で、雪止め３を備えない構造である。この例では、また軒先より設ける位置及び／又は順列は、一例であり、限定されない。
【００５８】
図３−１〜図３−５は、第三実施例を示しており、この第三実施例の雪止め３は、平板瓦１の頭側１００ｅの表面側１００ｃで、そのやや内方側で、かつ幅方向の中心部位に膨出形成する。この雪止め３の構成を詳説すると、その形状は、俯瞰視して略Ｖ字錐の本体部３００を分割し、略倒ハ字形に配置した対峙側（内側「Ａ」）が略垂直で、かつ反対峙側（外側「Ｂ」）が傾斜した（この内側「Ａ」・外側「Ｂ」は、一例であって、望ましい一構造である。他の例も同じ）第一本体部３００−１、及び同じ傾斜となる第二本体部３００−２（この内側「Ａ」・外側「Ｂ」は、一例であって、望ましい一構造である。他の例も同じ）と、この第一本体部３００−１及び／又は第二本体部３００−２の裾を囲繞する裾部３０１と、当該第一本体部３００−１と、第二本体部３００−２との間に設けた大きな分水部３０２とでなる。そして、この第三実施例では、第一本体部３００−１と、第二本体部３００−２を、略倒ハ字形に配置し、かつ第一本体部３００−１と、第二本体部３００−２に、それぞれ裾部３０１を設ける構造とすることで、例えば、積雪、成形、搬送、結束時における破損の回避と、全体の補強と、又は搬送、結束の容易化と、成形の容易化、歩留まりの向上等を意図する。また截頭部３００ｃは、例えば、積雪、成形、搬送、結束時における破損の回避と、また搬送、結束の容易化と、成形の容易化、歩留まりの向上等を図る。またこの裾部３０１は、本体部３００の補強として、有効であり、例えば、雪止め時及び／又は流雪時、成形、搬送、結束時における破損の回避と、全体の補強と、又は搬送、結束の容易化と、成形の容易化、歩留まりの向上等を図る。尚、この第三実施例では、本体部３００を、第一本体部３００−１と、第二本体部３００−２とすること及び／又は略倒ハ字形に配置した第一本体部３００−１と、第二本体部３００−２で、例えば、雪止め時及び／又は流雪時等、成形時における破損の回避と、荷重の分散と、又は成形の容易化、歩留まりの向上等が図れる。またこの第三実施例では、第一本体部３００−１と、第二本体部３００−２の対峙側（内側「Ａ」）を略垂直とし、またその反対峙側（外側「Ｂ」）を傾斜とする構造として、分水部３０２の広い面積の確保と、機能の拡充を図ること、また成形及び／又は型抜き等の容易化と、破損の回避、荷重への有効な対応とを図る。尚、図示しないが、第一本体部３００−１と、第二本体部３００−２の内側「Ａ」と、外側「Ｂ」を双方傾斜とし、成形及び／又は型抜き等の容易化と、破損の回避、荷重への有効な対応とを図ることも可能である。
【００５９】
そして、本発明の第三実施例では、この平板瓦１の頭側１００ｅの裏面側１００ｄには、雪止め３と相似形であって、裾部３０１よりやや大きな表面積の窪み部４を湾曲形状に凹設する（図３−４の拡大端面図参照）。この窪み部４及び／又は湾曲形状は、雪止め３への粘土の供給及びそのスムーズな供給と、粘土の減少化、又は平板瓦１の軽量化を図るためである。その他は、前述の例に準ずる。
【００６０】
また、この第三実施例では、図示しないが、第一本体部３００−１と、第二本体部３００−２との間に、空間を大きく形成し、この空間に、角錐形状の分水本体部（図示せず）を設けることで、雨水・雪及び／又は塵（雨水とする）等の流下を図るとともに、分水機能を確保できる構造とすることも可能である。またこの分水本体部は、雪止めとしても機能する。尚、この分水本体部の両端と、第一本体部３００−１と、第二本体部３００−２との間には、それぞれ隙間（図示せず）を有する。
【００６１】
さらに、この第三実施例を、千鳥葺きで葺設した一例を図３−５に示しており、軒先より三段目に、順列して葺設した。平板瓦１−１は、第二実施例で示した平板瓦１と同構造で、雪止め３を備えない構造である。この例では、また軒先より設ける位置及び／又は順列は、一例であり、限定されない。
【００６２】
そして、図３−６は、第三実施例の雪止め平板瓦の別の一実施例を示した平板瓦１であるが、雪止め３の第一本体部３００−１の位相を変えて（設ける位置をずらし）、第二本体部３００−２より尻側１００ｆ寄りに配置したものである。この位相の変化によって、例えば、降雨時において、第一本体部３００−１からの雨水は、傾斜した第二本体部３００−２に添って流速よく流れる対峙する雨水に誘導されることから、この雨水は溜まることなく、スムーズかつ勢いよく流下することが考えられる。そして、この位相の他の特徴は、例えば、この第二本体部３００−２と、第一本体部３００−１との雨水同士が、衝突することが回避されるので、分水部３０２としての機能を有効に確保できる。また積雪時には、位相の異なる第二本体部３００−２と、第一本体部３００−１とにより、確実に止められることから、その雪止め効果は素晴らしいと考えられる。その他は、前述の第三実施例に準ずる。
【００６３】
尚、図中１００ｄ１は、瓦本体１００の裏面側１００ｄに設けた補強用のリブ片で、図中１００ｇは、瓦本体１００の頭側１００ｅに形成した頭垂れである。
【図面の簡単な説明】
【００６４】
【図１−１】図１−１は第一実施例の雪止めを尻側に膨出した略緩湾曲形の截頭山形錐の本体部とした一例の平面図
【図１−２】図１−２は第一実施例の雪止め平板瓦の背面図
【図１−３】図１−３は第一実施例の雪止め平板瓦の尻側から雪止めを見た部分斜視図
【図１−４】図１−４は雪止めを断面視した拡大端面図
【図１−５】図１−５は第一実施例の雪止め平板瓦の葺設状態を示した縮尺俯瞰図
【図１−６】図１−６は第一実施例の他の一例であり、雪止めを頭側に膨出した略緩湾曲形の截頭山形錐の本体部とした一例の平面図
【図１−７】図１−７は第一実施例のさらに他の一例であり、雪止めを頭側に膨出した略緩湾曲形の截頭山形錐の本体部と、三角州裾部を設けた一例の平面図
【図１−８】図１−８は第一実施例の別の一例であり、雪止めを頭側に膨出した略緩湾曲形の截頭山形錐の本体部と、分水嶺部を設けた一例の平面図
【図２−１】図２−１は第二実施例の雪止め平板瓦の平面図
【図２−２】図２−２は第二実施例の雪止め平板瓦の背面図
【図２−３】図２−３は第二実施例の雪止め平板瓦の尻側から雪止めを見た部分斜視図
【図２−４】図２−４は雪止めを断面視した拡大端面図
【図２−５】図２−５は第二実施例の雪止め平板瓦の葺設状態を示した縮尺俯瞰図
【図３−１】図３−１は雪止めを頭側に膨出した略Ｖ字錐の本体部を分割し、略倒ハ字形に配置した第一本体部と、第二本体部とした一例の平面図
【図３−２】図３−２は第三実施例の雪止め平板瓦の背面図
【図３−３】図３−３は第三実施例の雪止め平板瓦の尻側から雪止めを見た部分斜視図
【図３−４】図３−４は雪止めを断面視した拡大端面図
【図３−５】図３−５は第三実施例の雪止め平板瓦の葺設状態を示した縮尺俯瞰図
【図３−６】図３−６は、図３−１の雪止め平板瓦の別の一実施例を示し、位相を変えて配置した平板瓦の平面図
【図４】本発明の雪止め平板瓦の他の一実施例を示した平面図
【図５】本発明の雪止め平板瓦のさらに他の一実施例を示した平面図
【図６】本発明の雪止め平板瓦の別の一実施例を示した平面図
【図７】本発明の雪止め平板瓦のさらに別の一実施例を示した平面図
【符号の説明】
【００６５】
１                    平板瓦
１−１                平板瓦
１００                瓦本体
１００ａ              一方側
１００ｂ              他方側
１００ｃ              表面側
１００ｃ１            下向き傾斜面
１００ｄ              裏面側
１００ｄ１            リブ片
１００ｅ              頭側
１００ｆ              尻側
１００ｇ              頭垂れ
１００ｈ              尻側湾曲谷部位
１０１                アンダーラップ
１０２                オーバーラップ
１０３                水返し突条
１０４                段付部
１０５                袋部
１０６                水返し突条
１０７                堰
１０８                膨出部
１０９                膨出部
１１０                膨出部
３                    雪止め
３００                本体部
３００−１            第一本体部
３００−２            第二本体部
３００ａ              膨出箇所
３００ｂ              膨出箇所
３００ｃ              截頭部
３０１                裾部
３０１ａ              尻側裾部
３０１ｂ              三角州裾部
３０１ｂ１            尻端部位
３０２                分水部
３０３                分水嶺部
４                    窪み部
【図１−１】
2008196109.tif 000003
【図１−２】
2008196109.tif 000004
【図１−３】
2008196109.tif 000005
【図１−４】
2008196109.tif 000006
【図１−５】
2008196109.tif 000007
【図１−６】
2008196109.tif 000008
【図１−７】
2008196109.tif 000009
【図１−８】
2008196109.tif 000010
【図２−１】
2008196109.tif 000011
【図２−２】
2008196109.tif 000012
【図２−３】
2008196109.tif 000013
【図２−４】
2008196109.tif 000014
【図２−５】
2008196109.tif 000015
【図３−１】
2008196109.tif 000016
【図３−２】
2008196109.tif 000017
【図３−３】
2008196109.tif 000018
【図３−４】
2008196109.tif 000019
【図３−５】
2008196109.tif 000020
【図３−６】
2008196109.tif 000021
【図４】
2008196109.tif 000022
【図５】
2008196109.tif 000023
【図６】
2008196109.tif 000024
【図７】
2008196109.tif 000025